(57)【要約】【課題】本発明の課題は、利用者にとって価値の低かった乗車情報を利用者の利益とするとともに、例えば地理的に不利な店舗も有効な宣伝ができ、宣伝効率の良い情報伝達方法を提供することにある。【解決手段】本発明の情報伝達システムは、タクシー端末１００が、識別データが記憶された記録媒体の識別データを読取り、該識別データを有する記録媒体利用者の乗車データをサーバー１００に送信し、前記店舗端末２００が、前記記録媒体の識別データを読取り、この記録媒体利用者の来店に関する来店データをサーバー１００に対して送信し、前記サーバー１００は、来店データの送信があった際に、該識別データに対応する乗車データが存在するか確認してその確認結果を店舗端末２００に送信するように設けられている。【選択図】図１
2005275801.tif 000002
【特許請求の範囲】
【請求項１】
タクシーに設置されたタクシー端末と、店舗に設置された店舗端末と、各端末から接続可能なサーバーとを備えた情報伝達システムであって、
前記タクシー端末は、識別データが記憶された記録媒体の識別データを読取り、該識別データを有する記録媒体利用者の乗車データをサーバーに送信するように設けられており、
前記店舗端末は、識別データが記憶された記録媒体の識別データを読取り、該識別データを有する記録媒体利用者の来店に関する来店データをサーバーに対して送信するように設けられており、
前記サーバーは、前記来店データの送信があった際に、該識別データに対応する乗車データが存在するか確認してその確認結果を店舗端末に送信するように設けられていることを特徴とする情報伝達システム。
【請求項２】
請求項１記載のシステムであって、
前記タクシー端末が送信する乗車データが少なくとも乗車日に関するデータを含み、
前記サーバーは、店舗端末から送信された来店データの来店日と前記乗車データの乗車日とを対比するように設けられていることを特徴とする情報伝達システム。
【請求項３】
タクシーに設置されたタクシー端末と、店舗に設置された店舗端末と、各端末から接続可能なサーバーとを備えた情報伝達システムであって、
前記タクシー端末は、利用者が有する記録媒体に対して乗車データを書き込み可能に設けられており、
前記店舗端末は、識別データが有する記録媒体から前記乗車データを読取り可能に設けられていることを特徴とする情報伝達システム。
【請求項４】
請求項３記載のシステムであって、
前記タクシー端末が書込む乗車データが少なくとも乗車日に関するデータを含み、
前記利用端末は、その利用者の店舗への来店日と前記乗車データの乗車日とを対比するように設けられていることを特徴とする情報伝達システム。
【請求項５】
請求項３または４記載のシステムであって、
前記タクシー端末からデータを受取り可能に設けられているサーバーを備え、
前記タクシー端末は前記乗車データをサーバーに送信するように設けられていることを特徴とする情報伝達システム。
【請求項６】
請求項５記載のシステムであって、
前記タクシー端末はタクシー端末識別データを有しており、
該タクシー端末が、前記乗車データを送信する際に、該タクシー端末識別データをも送信するように設けられていることを特徴とする情報伝達システム。
【請求項７】
請求項３乃至６のいずれかに記載のシステムであって、
前記店舗端末からデータを受取り可能に設けられているサーバーを備え、
前記店舗端末は、記録媒体の識別データとともに店舗の利用に関する店舗利用データをサーバーに送信するように設けられていることを特徴とする情報伝達システム。
【請求項８】
利用者がタクシーに乗車した際に、その乗車情報を記録して、
この利用者が来店した店舗においてその乗車情報を確認して、その利用者に一定のサービスを提供することを特徴とする情報伝達方法。
【請求項９】
請求項８記載の情報伝達方法であって、
前記タクシーに搭載されたタクシー端末は、該タクシーに乗車した利用者の保持する記録媒体から、その記録媒体に記憶された識別データを読取るとともに、この利用者の乗車データをサーバーに送信し、
前記店舗に設置された店舗端末は、利用者の記録媒体の識別データを読取り、該識別データを有する記録媒体利用者の来店に関する来店データをサーバーに対して送信し、
前記サーバーは、前記来店データの送信があった際に、該識別データに対応する乗車データが存在するか確認してその確認結果を店舗端末に送信することを特徴とする情報伝達方法。
【請求項１０】
請求項９記載の情報伝達方法であって、
前記タクシー端末が送信する乗車データが少なくとも乗車日に関するデータを含み、
前記サーバーは、店舗端末から送信された来店データの来店日と前記乗車データの乗車日とを対比することを特徴とする情報伝達方法。
【請求項１１】
請求項８乃至１０のいずれかに記載の情報伝達方法であって、
前記タクシーに搭載されたタクシー端末は、該タクシーに乗車した利用者の保持する記録媒体に対して、その乗車データを記録し、
前記店舗に設置された店舗端末は、利用者の記録媒体の識別データを読取り、該識別データを有する記録媒体利用者の来店に関する来店データをサーバーに対して送信し、
前記店舗端末は、識別データが有する記録媒体から前記乗車データを読取ることを特徴とする情報伝達方法。
【請求項１２】
請求項１０記載の情報伝達方法であって、
前記タクシー端末が書込む乗車データが少なくとも乗車日に関するデータを含み、
前記利用端末は、その利用者の店舗への来店日と前記乗車データの乗車日とを対比することを特徴とする情報伝達方法。
【請求項１３】
請求項１１または１２記載の情報伝達方法であって、
前記タクシー端末は、前記乗車データをサーバーに送信することを特徴とする情報伝達方法。
【請求項１４】
請求項１３記載の情報伝達方法であって、
前記タクシー端末はタクシー端末識別データを有しており、
該タクシー端末が、前記乗車データを送信する際に、該タクシー端末識別データをも送信することを特徴とする情報伝達方法。
【請求項１５】
請求項１１乃至１４のいずれかに記載の情報伝達方法であって、
前記店舗端末は、記録媒体の識別データとともに店舗の利用に関する店舗利用データをサーバーに送信することを特徴とする情報伝達方法。
【請求項１６】
店舗に関する情報が印刷された印刷物本体と、該印刷物本体に添付されるとともに識別データが記憶された記録媒体とからなり、前記記録媒体は、前記印刷物本体に印刷された店舗に設置された店舗端末によって読取可能に設けられていることを特徴とする印刷物。
【発明の詳細な説明】
【技術分野】
【０００１】
本願発明は、情報伝達方法に関する発明であり、より詳しくは、タクシーに利用者が乗車した乗車情報を利用するための情報伝達方法に関するものである。
【背景技術】
【０００２】
従来より上述のようなタクシーの乗車情報は各タクシー会社において無線等により通知され、タクシー会社において管理されている。しかるに、かかる乗車情報の管理によっては、タクシー会社における人的管理にのみ利用されるだけであり、利用者（乗車者）に対して何ら利用価値のないものであった。
【０００３】
一方、昨今、無料配布されるクーポンチケットマガジンが発刊されているが、かかるクーポンマガジンチケットは、その冊子のクーポン券部分を切り離して、店舗に提供する必要があり、利用者にとって煩雑であり、そればかりではなく、店舗においてもこのクーポン券を管理する手間が煩雑であった。
【０００４】
また、上記の利用者の煩雑さ、及び、掲載店舗数の多さ、ならびに、冊子ごとの持ち運びの不便さに起因して、利用者は、普段利用する或いは利用したことのある店舗のクーポンチケットを予め切り離して財布等に保管しておき、その店舗に来店した際に、そのクーポンチケットを利用することが幅広くなされているのが現状である。すなわち、かかるクーポンチケットマガジンに掲載された店舗としては、本来新規顧客開拓のために掲載しているにもかかわらず、利用されているのは新規顧客ではなく、従来より利用したことのある顧客である場合が多いという問題を有している。
【０００５】
さらには、上記のようなクーポンチケットマガジンにより掲載される店舗のうち、来店される可能性が高い店舗は、一般的には、地理的に有利な店舗、すなわち、駅に近い店舗が有利であり、駅から離れた場所にある店舗は来店される可能性が低いのが現状である。
【発明の開示】
【発明が解決しようとする課題】
【０００６】
上記問題を種々検討して本願発明はなされたものであり、本願発明の課題は、従来利用者にとって価値の低かった乗車情報を利用者の利益とするとともに、たとえば地理的に不利な店舗において有効な宣伝とすることのでき、宣伝効率の良い情報伝達方法を提供することにある。
【課題を解決するための手段】
【０００７】
本願発明に係る情報伝達システムにあっては、タクシーに設置されたタクシー端末と、店舗に設置された店舗端末と、各端末から接続可能なサーバーとを備えた情報伝達システムであって、前記タクシー端末は、識別データが記憶された記録媒体の識別データを読取り、該識別データを有する記録媒体利用者の乗車データをサーバーに送信するように設けられており、前記店舗端末は、識別データが記憶された記録媒体の識別データを読取り、該識別データを有する記録媒体利用者の来店に関する来店データをサーバーに対して送信するように設けられており、前記サーバーは、前記来店データの送信があった際に、該識別データに対応する乗車データが存在するか確認してその確認結果を店舗端末に送信するように設けられていることを特徴とする。
【０００８】
上記構成からなる情報伝達システムにあっては、利用者がタクシーを利用した後に、前記記録媒体を乗車したタクシー端末に読み込ませることにより、サーバーにその乗車情報が送信されることになる。そして、この利用者が本システムを採用する店舗に来店した際に、該記録媒体を店舗端末に読み込ませると、店舗端末はサーバーにその来店情報を送信し、サーバーはこの記録媒体に記憶された識別情報に関するデータに関して乗車データが存在するか否かを確認し、この確認した情報が店舗端末で判断することが可能となる。このため、本システムを採用する店舗においては、従来のようなクーポンチケットの管理作業が不要となる利点を有する。また、本システムを採用する店舗は、本システムの利用者に対してクーポンチケットのように一定のサービス（たとえばタクシー料金の一部（例えば初乗り料金）を飲食料金より差し引く）等を行うことにより、地理的に不利な店舗であっても効率的な広告を行うことができる。また、利用者にとっても、従来無関係であった乗車情報に基づいて店舗において有益なサービスの提供を受けることが可能となる。さらに、利用者は、従来のクーポンチケットのようなクーポンチケットの切り離し作業が不要となり、簡便に本システムを利用することができ、その利用価値が極めて高いという利点を有する。かかる利用者の利便性によって、たとえば前記記録媒体を本システムを採用する店舗を印刷した印刷物に添付した際に、印刷物自体を保持せずとも前記記録媒体を保持するのみで、その印刷物に印刷された店舗の記憶を頼って、その店舗を利用することが可能となり、これは店舗にとっても極めて広告価値の高いものとなる。さらに、サーバーにおいては、本システムを利用したタクシー端末に関する情報を管理することができる。また、上記システムによれば、必ずしもタクシー端末および店舗端末が記録媒体に書き込むことを要しないため、これらの端末の低コスト化を図ることができる。
【０００９】
なお、前記タクシー端末が送信する乗車データが少なくとも乗車日に関するデータを含むことが好ましい。これにより、たとえば乗車日と店舗利用日との関連性をもとめたサービス（たとえば、乗車日に店舗利用した場合にのみサービス利用可能）を提供することができる。なお、かかる乗車データの乗車日と店舗利用日との対比は、店舗端末において行うことも可能であるが、サーバーが、店舗端末から送信された来店データの来店日と前記乗車データの乗車日とを対比するように設けられていることが好ましい。これにより、店舗端末の構成の容易化を図ることができるとともに、サーバーの返答速度の高速化を図ることが可能となる。
【００１０】
また、本発明に係る情報伝達システムは、タクシーに設置されたタクシー端末と、店舗に設置された店舗端末と、各端末から接続可能なサーバーとを備えた情報伝達システムであって、前記タクシー端末は、利用者が有する記録媒体に対して乗車データを書き込み可能に設けられており、前記店舗端末は、識別データが有する記録媒体から前記乗車データを読取り可能に設けられていることを特徴とする。
【００１１】
上記構成からなる情報伝達システムにあっては、利用者がタクシーを利用した後に、前記記録媒体に乗車したタクシー端末によって乗車情報を書き込み、そして、この利用者が本システムを採用する店舗に来店した際に、該記録媒体を店舗端末に読み込ませると、この乗車情報が店舗端末で判断することが可能となる。このため、本システムを採用する店舗においては、従来のようなクーポンチケットの管理作業が不要となる利点を有する。また、本システムを採用する店舗は、本システムの利用者に対してクーポンチケットのように一定のサービス（たとえばタクシー料金の一部（例えば初乗り料金）を飲食料金より差し引く）等を行うことにより、地理的に不利な店舗であっても効率的な広告を行うことができる。また、利用者にとっても、従来無関係であった乗車情報に基づいて店舗において有益なサービスの提供を受けることが可能となる。さらに、利用者は、従来のクーポンチケットのようなクーポンチケットの切り離し作業が不要となり、簡便に本システムを利用することができ、その利用価値が極めて高いという利点を有する。かかる利用者の利便性によって、たとえば前記記録媒体を本システムを採用する店舗を印刷した印刷物に添付した際に、印刷物自体を保持せずとも前記記録媒体を保持するのみで、その印刷物に印刷された店舗の記憶を頼って、その店舗を利用することが可能となり、これは店舗にとっても極めて広告価値の高いものとなる。本システムによれば、必ずしも、タクシー端末および店舗顛末に送受信機能を持たせる必要がなくなる。
【００１２】
なお、上記構成を採用した場合にあっては、タクシー端末が書込む乗車データが少なくとも乗車日に関するデータを含み、前記利用端末は、その利用者の店舗への来店日と前記乗車データの乗車日とを対比するように設けられている構成を採用することが好ましい。
【００１３】
これにより、たとえば乗車日と店舗への来店日との関連性をもとめたサービス（たとえば、乗車日に店舗利用した場合にのみサービス利用可能）を提供することができる。
【００１４】
また、上記構成を採用した場合にあっては、前記タクシー端末からデータを受取り可能に設けられているサーバーを備え、前記タクシー端末は前記乗車データをサーバーに送信するように設けられていることが好ましい。これにより、サーバーにおいて、本システムを利用したタクシー端末に関する情報を管理することができる。
【００１５】
さらに、上記のようなサーバーを有する場合には、タクシー端末がタクシー端末識別データを有しており、該タクシー端末が、前記乗車データを送信する際に、該タクシー端末識別データをも送信するように設けられていることが好ましい。これにより、本システム自体の宣伝活動等がタクシー運転手が如何に行っているかを管理することも可能となる。
【００１６】
また、上記構成からなる本発明にあっては、前記店舗端末からデータを受取り可能に設けられているサーバーを備え、前記店舗端末は、記録媒体の識別データとともに店舗の利用に関する店舗利用データをサーバーに送信するように設けられている構成を採用することが好ましい。これにより、サーバーにおいて、本システムを利用した店舗端末に関する情報を管理することができる。
【００１７】
また、本発明に係る情報伝達方法としては、利用者がタクシーに乗車した際に、その乗車情報を記録して、この利用者が来店した店舗においてその乗車情報を確認して、その利用者に一定のサービスを提供することを特徴とする。
【００１８】
上記構成からなる情報伝達方法にあっては、本システムを採用する店舗においては、本システムの利用者に対してクーポンチケットのように一定のサービス（たとえばタクシー料金の一部（例えば初乗り料金）を飲食料金より差し引く）等を行うことにより、地理的に不利な店舗であっても効率的な広告を行うことができる。また、利用者にとっても、従来無関係であった乗車情報に基づいて店舗において有益なサービスの提供を受けることが可能となる。さらに、利用者は、従来のクーポンチケットのようなクーポンチケットの切り離し作業が不要となり、簡便に本システムを利用することができ、その利用価値が極めて高いという利点を有する。
【００１９】
また、本発明に係る印刷物にあっては、店舗に関する情報が印刷された印刷物本体と、該印刷物本体に添付されるとともに識別データが記憶された記録媒体とからなり、前記記録媒体は、前記印刷物本体に印刷された店舗に設置された店舗端末によって読取可能に設けられていることを特徴とする。
【００２０】
かかる印刷物にあっては、上述したような本システムの利点を最大限に発揮することができるとともに、この印刷物を利用する利用者は、従来のクーポンチケットのようなクーポンチケットの切り離し作業が不要となり、簡便に本システムを利用することができ、たとえば前記記録媒体を印刷物本体に印刷された店舗に持参するだけで、印刷物自体を保持せずとも、一定のサービス提供を受けることができ、このため、その印刷物本体に印刷された店舗の記憶を頼って、その店舗を利用することが可能となり、これは店舗にとっても極めて広告価値の高いものとなる。
【発明を実施するための最良の形態】
【００２１】
以下、本願発明の実施形態について図面を参酌しつつ説明する。
【００２２】
〈第一実施形態〉
まず、本発明の第一実施形態の情報伝達システムについて説明すると、本システムは、タクシー車両に設置されるとともに記録媒体５００に記録された情報を読取可能なタクシー端末２００、店舗内に設置されるとともに前記記録媒体５００に記録された情報を読取可能な店舗端末３００、及び、前記タクシー端末２００と店舗端末３００とデータの接受を行うサーバー１００から構成されている。
【００２３】
前記記録媒体５００には、各記録媒体５００に付された識別文字列が記憶されている。ここで、識別文字列としては、たとえば１０桁等の複数桁からなるからなる文字列又は数字列から構成することができる。
【００２４】
また、該記録媒体５００は、図２に示すように、本システムに加入する店舗の情報が印刷された印刷物本体４００に添付されている。具体的には、たとえば、該記録媒体５００は、冊子からなる印刷物本体４００の裏面に貼付された磁気カードから構成することができる。
【００２５】
また、前記タクシー端末２００は、前記記録媒体５００を挿入できる挿入口を有する読取手段２０１と、該読取手段２０１によって読取られたデータを前記サーバー１００に送信する送信手段（図示省略）とを有している。前記送信手段は、たとえば、電話回線等のネットワークシステムを介してサーバー１００に接続できるように設けられている。
【００２６】
該タクシー端末２００は、タクシー端末識別文字列が記憶されたメモリ（図示省略）を有している。ここで、識別文字列としては、たとえば１０桁等の複数桁からなる文字列又は数字列から構成することができる。
【００２７】
また、該タクシー端末２００の送信手段は、前記読取手段によって読取られた記録媒体５００の識別文字列とともに、前記タクシー端末識別文字列を送信するように設けられている。ここで、タクシー端末２００は、上記送信に際して前記読取手段２０１によって読取った読取時に関するデータ（例えば月日、または、日時）を送信するように設けられており、本実施例においては、読取手段２０１によって読取られた際に送信するように設けられている。
【００２８】
また、前記店舗端末３００は、本システムに加入する店舗に設置されるものであり、該店舗端末３００は、前記記録媒体５００を挿入できる挿入口を有する読取手段３０１と、該読取手段３０１によって読取られたデータを前記サーバー１００に送信するとともにサーバー１００からのデータを受け取る送受信手段（図示省略）とを有している。前記送受信手段は、たとえば、電話回線等のネットワークシステムを介してサーバー１００に接続できるように設けられている。なお、該送受信手段は、送信手段と受信手段とが異なるハードウェアから構成することも同一のハードウェアから構成することも適宜設計変更可能である。
【００２９】
該店舗端末３００は、店舗端末識別文字列が記憶された記憶手段（図示省略）を有している。ここで、識別文字列としては、たとえば１０桁等の複数桁からなるからなる文字列又は数字列から構成することができる。
【００３０】
また、該店舗端末３００の送受信手段は、前記読取手段３０１によって読取られた記録媒体５００の識別文字列とともに、前記店舗端末識別文字列を送信するように設けられている。ここで、店舗端末３００は、上記送信に際して前記読取手段３０１によって読取った読取時に関するデータ（例えば月日、または、日時（以下、店舗利用時データということがある））を送信するように設けられている。なお、本実施形態においては、前記記録媒体５００の識別文字列、店舗顛末識別文字列及び店舗利用時データがサーバー１００に送信する利用データに相当する。
【００３１】
また、前記店舗端末３００は、表示部３０３を備えており、該表示部３０３には、前記利用データを送信した後に後述するサーバー１００から送信された送信結果データを表示できるように設けられている。
【００３２】
また、店舗端末３００の前記記憶手段は、前記利用データ又は／及び前記送信結果データを記憶できるように設けられている。
【００３３】
前記サーバー１００は、種々のデータを記憶可能な記憶手段（図示省略）と、各種処理を行うＣＰＵ等からなる処理手段とを有する。
【００３４】
前記サーバー１００は、前記利用データが店舗端末３００から送信された際に、利用データの記録媒体５００の識別データに対応する乗車データが存在するか確認してその確認結果を店舗端末３００に送信するように設けられている。より詳述すると、サーバー１００は、利用データの記録媒体５００の識別データと、既に受け取った乗車データの識別データとを対比する。そして、該当が存在しない場合には、その結果を店舗端末３００に送信する。一方、該当するものがあった場合には、次に、利用データの店舗利用時データ（の日に関するデータ）と、乗車データの乗車時データ（乗車日に関するデータ）とを比較して、同一もしくは許容範囲（例えば乗車後一日以内に利用）にあるか否かを判断する。許容範囲内にある場合には店舗端末３００に利用可能情報を送信する。一方、許容範囲外である場合には、サーバー１００は、利用不可情報（たとえば「利用期限超過データ」）を送信する。
【００３５】
上記システムによれば、利用者がタクシーに乗車した際に、記録媒体５００をタクシー端末２００に読み込ませることにより、本システムに加盟する店舗において種々のサービス（たとえば「初乗り料金分割引」）を受けることができる。
【００３６】
また、店舗においても従来のようなクーポンチケットを管理する必要がないという利点を有する。さらには、店舗において、前記店舗端末３００をレジカウンター等に接続、または、店舗端末３００とレジカウンターとを同一ハードウェアにより構成することにより、本システムを利用する利用者の精算作業を簡便にすることが可能となる利点を有する。
【００３７】
さらに、前記記録媒体５００が添付されるとともに加盟店舗の情報が印刷された冊子をタクシー車両内に設置しておくことにより、利用者は従来のようなクーポンチケットマガジンを携帯せずとも、本システムのサービスを受けることができるという利点を有する。特に、従来のようなクーポンチケットの切り取り作業が不要となり、印刷物本体４００を紛失しても、記録媒体５００のみを携帯するのみで各種のサービスの提供を受けることができる。
【００３８】
また、サーバー１００管理者にとっては、利用されたタクシー車両及び店舗についてサーバー１００において把握することができる。また、記録媒体５００の識別データをも管理することができるので、たとえば、本システム利用者に対して、抽選等による景品を付与することも可能となる利点を有する。
【００３９】
〈第２実施形態〉
次に、本発明に係る第２実施形態について説明する。なお、第一実施形態と同一または同様の構成または機能を有する部分についてはその説明を省略することがある。
【００４０】
第２実施形態のシステムにあっても、サーバー１００、該サーバー１００とデータの接受を行うタクシー端末２００及び店舗端末３００を備えるものである。
【００４１】
第２実施形態においては、前記タクシー端末２００は、記録媒体５００に対して乗車データを書き込むことができるように設けられている。ここで、記録媒体５００に書き込まれるデータとしては、少なくとも乗車した日に関するデータが含まれる。
【００４２】
また、前記店舗端末３００は、記録媒体５００に記憶された乗車データを読取可能に設けられているとともに、読取った乗車データの乗車日と店舗端末３００が読取った時点の日時とを比較し、その比較結果を表示部に表示するように設けられている。
【００４３】
第２実施形態のシステムにあっても、既述のように、サーバー１００に対して、タクシー端末２００又は／及び店舗端末３００がデータをサーバー１００に送信するように設けることが好ましい。なお、ここで、送信に際しては、既述の第一実施形態と異なり、複数のデータを一括して送信することも可能である。具体的には、一日の営業を終了した後に、タクシー端末２００または店舗端末３００がその一日のデータをサーバー１００に送信するように設けることも可能である。
【００４４】
なお、記録媒体５００に上記情報のみならず、たとえば、その利用者の氏名情報、住所情報、連絡先情報が記憶されているものであっても、本発明の意図する範囲内である。
【００４５】
また、前記記録媒体５００が印刷物本体４００に添付されていることを前提に説明したが、本発明はこれに限定されるものではなく、さらに、添付する方法も印刷物本体に袋部を設けてここに記録媒体を収容したり、印刷物本体に別途の剥離可能なシール部材によって添付することも適宜設計変更可能な事項である。
【００４６】
また、タクシー端末２００に該記録媒体５００が認識されることにより、タクシー車両に設置された表示手段（例えばフラット表示画面）において各店舗情報が表示されるように設けることも可能である。
【００４７】
さらには、上述のようにタクシー車両に設置された表示手段（例えばフラット表示画面）において各店舗情報が表示された際に、タクシー端末２００の操作により、前記記録媒体５００に利用可能情報（乗車データ）が記憶されるように設けることも可能である。
【００４８】
また、サーバー１００又は記録媒体５００に過去の利用履歴を記録しておき、記録媒体５００の利用履歴に応じて異なるサービスを提供するように設けることも可能である。
【００４９】
また、上記何れの実施形態においても、接触式の磁気カードを用いたものについて説明したが、たとえば非接触式のＩＣカード等から構成することも可能であり、さらには、本発明に係る情報管理方法にあっては領収証等からなる紙媒体から乗車情報を確認するように構成することも可能である。
【図面の簡単な説明】
【００５０】
【図１】本発明の第一実施形態のシステムの全体構成を説明するための概略的説明図である。
【図２】同実施形態における記録媒体に関する説明図である。
【図３】本発明の第２実施形態のシステムの全体構成を説明するための概略的説明図である。
【符号の説明】
【００５１】
１００  サーバー
２００  タクシー端末
２０１  読取手段
３００  店舗端末
３０１  読取手段
３０３  表示手段
４００  印刷物本体
５００  記録媒体
【図１】
2005275801.tif 000003
【図２】
2005275801.tif 000004
【図３】
2005275801.tif 000005